(57)【要約】      （修正有）【課題】ウォーターシール方式の密閉方法を用いた噴霧腐食試験機において、上蓋の開放時ウォーターシール部の水の影響を受けずに試験片の設置作業等を簡便にすることが可能なウォーターシール部のカバーを低コストで提供する。【解決手段】カバー１１ａは、噴霧装置が載置された試験槽２と試験槽２の上部を覆う上蓋５とからなり、試験槽２の上方周縁部９に設けた溝部に水を貯溜させたウォーターシール部１０の水に上蓋５の下方周縁部８を沈ませることによって上蓋５と試験槽２の隙間を無くし、試験槽２と上蓋５との嵌合部から試験槽２内で生成させた腐食液の噴霧が漏洩するのを防止し、上蓋５の開放時に、カバー１１ａを蝶番により回転させることでウォーターシール部１０を覆う。【選択図】図１
0003210764.tif 000002
【実用新案登録請求の範囲】
【請求項１】
噴霧装置が載置された試験槽と前記試験槽の上部を覆う上蓋とからなり、前記試験槽の上方周縁部に設けた溝部に水を貯溜させたウォーターシール部の前記水に前記上蓋の下方周縁部を沈ませることによって前記上蓋と前記試験槽の隙間を無くし、前記試験槽と前記上蓋との嵌合部から前記試験槽内で生成させた腐食液の噴霧が漏洩するのを防止する噴霧腐食試験機において、
前記上蓋の開放時に前記溝部を覆うカバー。
【請求項２】
蝶番により前記試験槽の外壁に回転可能に付設する請求項１に記載のカバー。
【請求項３】
コの字型形状である請求項１に記載のカバー。
【請求項４】
一部または全体に磁性を有する請求項１から請求項３のいずれか１項に記載のカバー。
【請求項５】
一部または全体に載置台を有する請求項１から請求項４のいずれか１項に記載のカバー。
【請求項６】
前記上蓋の開放状態を維持する上蓋保持部を有する請求項１から請求項５のいずれか１項に記載のカバー。
【考案の詳細な説明】
【技術分野】
【０００１】
本考案は、噴霧腐食試験機のウォーターシール部を覆うカバーに関する。
【背景技術】
【０００２】
噴霧腐食試験機は、所定の腐食液を試験槽内に噴霧し、試験槽内に載置された試験片表面に微細な腐食液の液粒を自然落下により付着させて試験片を腐食させるものである。この腐食液としては、例えば塩化ナトリウムを含む中性塩水溶液のほか、塩化ナトリウム溶液に酢酸を加えた酢酸酸性塩水溶液、または、塩化ナトリウム、塩化第二銅および酢酸を含むキャス液などが用いられる。
【０００３】
また、より自然環境に近似し促進性の高い試験として、上記の噴霧腐食試験と乾燥試験、湿潤試験、浸漬試験および低温試験といった他の試験とを組み合わせて１サイクルとし、このサイクルを繰り返して試験片を暴露する複合サイクル試験がある。この複合サイクル試験を行うことのできる複合サイクル試験機も噴霧腐食試験機の一つとして既に用いられている。
【０００４】
一般に、噴霧腐食試験機は、試験槽内に空気ノズルと液ノズルとを有する噴霧器を備えており、空気ノズルから噴出される飽和圧縮空気のベンチュリ効果により吸い上げられた液ノズル内の腐食液（塩水などの腐食性の溶液）が、微細な粒子として試験槽内に載置された試験片に対して一様に噴霧されるように構成されている。また、噴霧の供給は連続して行われるため試験槽内は腐食液の噴霧が常に充満した状態となる。したがって、通常試験槽底部の排気口から腐食液の噴霧の一部が徐々に排気されるが、試験槽の上蓋と、試験槽との密閉が充分でないと腐食液の噴霧がシール部を通して試験槽外に漏洩し、試験機周辺にある物質を腐食させてしまう恐れがあるため、試験槽の上蓋と試験槽が嵌合する嵌合溝部に水を溜めるウォーターシール方式が採用されてきた。
【０００５】
このウォーターシール方式は、箱型の試験槽の上方周縁部上端にＵ字状溝部を形成し、溝部に水を貯溜させたウォーターシール部に、上蓋を嵌め込むことによって、試験槽外に腐食液の噴霧が流出するのを防止するものであり、溝部には余分な水を排水する機構や、多孔質吸水性物質からなる材質のものを敷き詰めて、これに注水し、上蓋を嵌め込むことで腐食液の噴霧の漏洩を防ぐ構造を有したものもある（例えば特許文献１）。
【先行技術文献】
【特許文献】
【０００６】
【特許文献１】特許第４１６２２５３号
【考案の概要】
【考案が解決しようとする課題】
【０００７】
しかしながら、ウォーターシール方式の密閉方法を用いた噴霧腐食試験機では、試験槽内に試験片を設置する場合など上蓋を開いて試験槽内の作業を行う際に、腕部あるいは上半身など、作業者の身体の一部や着用した衣服がウォーターシール部の水と接触し濡れてしまうおそれがあった。
【０００８】
本考案はかかる問題点に鑑みてなされたもので、その目的は、ウォーターシール方式の密閉方法を用いた噴霧腐食試験機において、上蓋の開放時にウォーターシール部の水の影響を受けずに試験片の設置作業等を簡便にすることが可能なウォーターシール部のカバーを低コストで提供することにある。
【課題を解決するための手段】
【０００９】
本考案の噴霧腐食試験機のウォーターシール部のカバーは、噴霧装置を備えた試験槽と試験槽の上部を覆う上蓋とからなり、試験槽の上方周縁部に設けた溝部に水を貯溜させたウォーターシール部の水に上蓋の下方周縁部を沈ませることによって上蓋と試験槽の隙間を無くし、腐食液の噴霧が漏洩するのを防止する噴霧腐食試験機において、上蓋の開放時にウォーターシール部を覆うものである。本考案のウォーターシール部のカバーがウォーターシール部を覆うことでウォーターシール部の水で作業者の身体の一部や着用した衣服が接触し濡れるのを防ぐことができ試験槽内への試験片の設置作業を簡便にすることができる。
【００１０】
本考案の噴霧腐食試験機のウォーターシール部のカバーは、蝶番により試験槽の外壁に回転可能に付設するものであってもよい。
【００１１】
本考案の噴霧腐食試験機のウォーターシール部のカバーは、溝部に被せるコの字型形状であってもよい。
【００１２】
本考案の噴霧腐食試験機のウォーターシール部のカバーは、本体の一部または全体に磁性を有するものであってもよい。
【００１３】
本考案の噴霧腐食試験機のウォーターシール部のカバーは、本体の一部または全体に載置台を有するものであってもよい。
【００１４】
本考案の噴霧腐食試験機のウォーターシール部のカバーは、上蓋の開放状態を維持する上蓋保持部をさらに有するものであってもよい。
【考案の効果】
【００１５】
本考案の噴霧腐食試験機のウォーターシール部のカバーによれば、ウォーターシール方式による密閉方法を用いた噴霧腐食試験機のウォーターシール部を覆うことにより、上蓋の開放時にウォーターシール部の水に作業者の身体の一部や衣服などが接触することを防ぎ、上蓋の開放時に行う作業を簡便にすることができる。
【図面の簡単な説明】
【００１６】
【図１】本考案の第一の実施の形態の板状カバーを備えた噴霧腐食試験機の概要図である。
【図２】試験槽内を密閉状態にした際のウォーターシール部の断面図である。
【図３】本考案の第一の実施の形態の板状カバーの斜視図である。
【図４】本考案の第一の実施の形態の板状カバーに載置台を設けた斜視図である。
【図５】本考案の第一の実施の形態の板状カバーに上蓋保持部を設けた斜視図である。
【図６】本考案の第二の実施の形態のコの字型カバーを備えた噴霧腐食試験機の概要図である。
【図７】本考案の第二の実施の形態のコの字型カバーの斜視図である。
【考案を実施するための形態】
【００１７】
以下、本考案の実施の形態について図面を参照して詳細に説明する。
【００１８】
＜第一の実施の形態＞
図１は、本考案の第一の実施の形態のウォーターシール部１０の板状カバー１１ａを備えた噴霧腐食試験機１の概要図である。噴霧腐食試験機１は、試験槽２、制御部３、及び腐食液供給タンク４を主要素として構成されている。試験槽２には試験槽２の内部を覆う上蓋５が配置され、試験槽２の内部には腐食液を噴霧粒子に変える噴霧塔６と試験片７が載置されている。
【００１９】
制御部３は中央演算処理装置（ＣＰＵ）やメモリを有するコンピュータを利用したものである。制御部３は、メモリに予め記憶させた所定のプログラムに従い、また、腐食液の噴霧時間、試験槽２内および腐食液の温度などの各種設定値に基づき、ＣＰＵが動作することによって噴霧腐食試験の実行制御を行う。
【００２０】
腐食液供給タンク４は導管によって噴霧搭６内の液ノズル（図示せず）と接続されている。これにより、腐食液供給タンク４において保持されている腐食液が液ノズルを介して噴霧搭６に供給可能になっている。また、腐食液供給タンク４は他の導管を通じて補給タンクと接続されている。このため、腐食液供給タンク４において腐食液が消失する前に補給タンクから腐食液を供給すれば、腐食液供給タンク４において常に腐食液を保持する状態を維持できるので、噴霧腐食試験機１の連続稼働が可能となる。
【００２１】
図２は、試験槽２内を上蓋５により密閉状態にした際のウォーターシール部１０の断面図である。ウォーターシール部１０は、試験槽２の上方周縁部９の溝部１０ａと溝部１０ａの内部に貯溜した水Ｌで構成されている。ウォーターシール部１０の水Ｌに上蓋５の下方周縁部８を浸水させるように嵌め込むことによって試験槽２内の腐食液の噴霧が試験槽２外へ漏洩することなく密閉することが可能な構造となっている。
【００２２】
なお、上蓋５の形状は試験槽２内に載置された試験片７表面に噴霧されて天井部に付着した腐食液の液滴（結露）が落下するのを防止するため、切妻屋根形状が好適である。板状カバー１１ａは試験槽２の外壁に取り付けられており上蓋５の開放時にウォーターシール部１０を覆うことで水Ｌに作業者の身体の一部や衣服などが接触するのを防ぐものである。
【００２３】
図３は本考案の第一の実施の形態のウォーターシール部１０の板状カバー１１ａの斜視図である。板状カバー１１ａは、試験槽２の上方周縁部９を軸に回転するよう蝶番１２で試験槽２の外壁に取り付ける板状のカバーである。蝶番１２は、例えば二枚の板（１２ａ、１２ｃ）と一本の回転軸１２ｂからなるものであり、このような構造の蝶番１２の場合、蝶番１２の回転軸１２ｂが試験槽２の上方周縁部９の外縁９ａ部分で回転可能になるよう、一方の板１２ｃを試験槽２の外壁に取り付け、他方の板１２ａを板状カバー１１ａがウォーターシール部１０に設置された際、上表面となる位置に取り付ける。
【００２４】
蝶番１２により取り付けられた板状カバー１１ａは、試験槽２の上方周縁部９の外縁９ａ部分を軸に蝶番１２の回転軸１２ｂにより回転可能となっており、試験槽２の外壁から回転させることで試験槽２の上方周縁部９のウォーターシール部１０を覆うことが可能である。また、上蓋５を閉じる際は蝶番１２の回転軸１２ｂにより板状カバー１１ａをウォーターシール部１０に設置した際と反対の方向に回転させることで板状カバー１１ａをウォーターシール部１０から外すことが可能なため、再びウォーターシール部１０に上蓋５を嵌め込み槽内を密閉することができる。
【００２５】
板状カバー１１ａは一部または全体に磁性を有している。例えば、磁性を有する材質で製作するか、磁性を有する材質を設ける。これにより、磁性を有するもの、例えば鉄素材の試験片や、鉄でできた作業道具などであれば板状カバー１１ａに吸着させることができる。
【００２６】
図４は一部に載置台１３を設けたウォーターシール部１０の板状カバー１１ｂの斜視図である。板状カバー１１ｂは板状カバー１１ａをウォーターシール部１０に取り付けた際に上表面となる面に載置台１３を設け、載置台１３を設けたことにより、板状カバー１１ａの上表面の表面積が広がり作業を行う上で必要なテープや金尺などの器具１４等を置くことを可能にしたものである。これにより、試験槽２周辺に器具１４等を置く場所がなくとも、作業を行う上で必要な器具１４等を作業場の近くに置くことができる。
【００２７】
図５は上蓋保持部１５を設けたウォーターシール部１０の板状カバー１１ｃの斜視図である。上蓋保持部１５は、例えば、先端に上蓋５の下方周縁部８を嵌め込む上蓋固定部１５ａと可動部１５ｂを設けた棒状の器具であり、板状カバー１１ｃをウォーターシール部１０に設置した際上表面となる位置に根元部分が可動するように可動部１５ｂを設け、板状カバー１１ｃをウォーターシール部１０に設置した後、上蓋保持部１５を板状カバー１１ｃから起き上がらせ、上蓋固定部１５ａの先端に上蓋５の下方周縁部８を嵌め込み上蓋５を固定する。これにより、上蓋５の開放時に上蓋５が閉じるのを防ぐことができる。また、上蓋保持部１５の可動部１５ｂに上蓋保持部１５を起き上がらせた状態を維持するロック機構（図示しない）を設けることで、より安全に作業を行うことができる。
【００２８】
[第一の実施の形態の作用・効果]
このように、本考案の第一の実施の形態の板状カバー１１ａでは、蝶番１２の一方の板１２ｃを試験槽２の外壁に取り付け、他方の板１２ａに板状カバー１１ａを取り付け、板状カバー１１ａを蝶番１２の回転軸１２ｂにより回転させることでウォーターシール部１０に板状カバー１１ａが設置される構造となっている。これにより、板状カバー１１ａを回転させることで板状カバー１１ａがウォーターシール部１０を覆い、作業者の身体の一部や衣服などがウォーターシール部１０内の水Ｌに接触するのを防ぐことができるため、上蓋５の開放時に行う作業を簡便にすることができる。また、上蓋５を閉じる際は、ウォーターシール部１０から板状カバー１１ａを回転させ、試験槽２の外壁側に移動させることで上蓋５の下方周縁部８をウォーターシール部１０に嵌め込むウォーターシール方式を用いて試験槽２と上蓋５を密閉することができる。さらに、板状カバー１１ａは、噴霧腐食試験機１の本体に備えられているため、紛失する恐れがなく、保管場所等も不要である。
【００２９】
また、板状カバー１１ａに磁性を有する部分を設けることで、磁性を有するものであれば、吸着させることができる。
【００３０】
また、板状カバー１１ａに載置台１３を設けることで、作業する際に必要な器具１４等を置くことができる。
【００３１】
さらに、板状カバー１１ａに上蓋保持部１５を設けることで、上蓋５の開放状態を固定することが可能なため、作業中に上蓋５が閉じることを防ぎ、試験槽２内の作業を安全に行うことができる。
【００３２】
＜第二の実施の形態＞
図６は本考案の第二の実施の形態のウォーターシール部１０のコの字型カバー１１ｄを備えた噴霧腐食試験機１Ａの概要図である。なお、第一の実施の形態における構成要素と同一のものには同一の符号を付し、適宜説明を省略する。
【００３３】
図７は本考案の第二の実施の形態のウォーターシール部１０のコの字型カバー１１ｄの斜視図である。コの字型カバー１１ｄは、コの字型形状であり、上蓋５の開放時にウォーターシール部１０を覆うように被せることでウォーターシール部１０内の水Ｌに作業者の身体の一部や衣服などが接触するのを防ぐ。また、本考案の第二の実施の形態のコの字型カバー１１ｄはウォーターシール部１０から取り外すことが可能なため、上蓋５を閉じる際は、ウォーターシール部１０からコの字型カバー１１ｄを取り外すことで上蓋５をウォーターシール部１０に嵌め込み試験槽２と上蓋５を密閉することができる。
【００３４】
また、本考案の第二の実施の形態のコの字型カバー１１ｄに磁性を有する部分を設けることで、磁性を有するものであれば、吸着させることができる。
【００３５】
また、コの字型カバー１１ｄに載置台１３を設けることで、作業する際に必要な器具１４等を置くことができる。
【００３６】
さらに、コの字型カバー１１ｄに上蓋保持部１５を設けることで、上蓋５の開放状態を固定することが可能なため、作業中に上蓋５が閉じることを防ぎ、試験槽２内の作業を安全に行うことができる。
【００３７】
[第二の実施の形態の作用・効果]
このように、本考案の第二の実施の形態のウォーターシール部１０のコの字型カバー１１ｄでは、ウォーターシール部１０を覆うように被せる構造となっている。これにより、コの字型カバー１１ｄをウォーターシール部１０に被せることでコの字型カバー１１ｄがウォーターシール部１０を覆い、作業者の身体の一部や衣服などがウォーターシール部１０内の水Ｌに接触するのを防ぐことが可能なため、試験槽２に追加加工することなく、上蓋５の開放時に行う作業を簡便にすることができる。また、上蓋５を閉じる際は、ウォーターシール部１０からコの字型カバー１１ｄを取り外すことで上蓋５をウォーターシール部１０に嵌め込むウォーターシール方式を用いて試験槽２内を密閉することができる。さらに、コの字型カバー１１ｄは単純な構造であり、部品の数を抑えることができ低費用で製作することができる。また、噴霧腐食試験機１Ａから分離する（取り外す）ことが可能なため、一つのカバーを取り外して別の噴霧腐食試験機に使用することができる。
【００３８】
以上、実施の形態を挙げて本考案を説明したが、上記実施の形態において説明した各部の配置位置や形状、個数などは例示であって、本考案は上記実施の形態に限定されるものではない。具体的には、板状カバー１１ａは、回転可能に設けられ、ウォーターシール部１０を覆うことが可能であれば別の形状でもよい。またコの字型カバー１１ｄはウォーターシール部１０を覆うことが可能であれば別の形状であっても良い。
【符号の説明】
【００３９】
１，１Ａ…噴霧腐食試験機、２…試験槽、３…制御部、４…腐食液供給タンク、５…上蓋、６…噴霧塔、７…試験片、８…下方周縁部、９…上方周縁部、９ａ…外縁、１０…ウォーターシール部、１０ａ…溝部、１１ａ，１１ｂ，１１ｃ…板状カバー、１１ｄ…コの字型カバー、１２…蝶番、１２ａ…板、１２ｂ…回転軸、１２ｃ…板、１３…載置台、１４…器具、１５…上蓋保持部、１５ａ…上蓋固定部、１５ｂ…可動部、Ｌ…水
【図１】
0003210764.tif 000003
【図２】
0003210764.tif 000004
【図３】
0003210764.tif 000005
【図４】
0003210764.tif 000006
【図５】
0003210764.tif 000007
【図６】
0003210764.tif 000008
【図７】
0003210764.tif 000009